(57)【特許請求の範囲】
【請求項１】
うちわの骨の間の穴に通す為の固定用ヒモと、穴に通し折り返されて来たヒモを押さえる為の面ファスナーと、袋状のカバーからなり、カバーとしてクッション性のあるスポンジや布などの部材を用い、うちわの柄を袋状のカバー（４）に差し込み、面ファスナー（２）の付いた２つのヒモ（１）をうちわの骨の間の穴（１１）に通し、カバーの入り口の面ファスナー（３ｂ）に貼り付け、ヒモ（１）の面ファスナー（２）とカバーの入り口の面ファスナー（３ｂ）でカバー（４）をうちわに固定させ、固定した部分の上から、面ファスナーの付いた布（３ａ）で巻き付け、面ファスナーの付いた布（３ａ）とカバーの入り口の面ファスナー（３ｂ）でヒモ（１）を挟み込んで２重に固定することで、外れにくくした事を特徴とする、うちわの柄に被せるカバー。
【請求項２】
うちわの柄を袋状のカバー（４）に差し込み、面ファスナー（２）の付いた２つのヒモ（１）をうちわの骨の間の穴（１１）に通し、カバーの入り口の面ファスナー（３ｂ）に貼り付け、ヒモ（１）の面ファスナー（２）とカバーの入り口の面ファスナー（３ｂ）でカバー（４）をうちわに固定させ、固定した部分の上から、面ファスナーの付いた布（３ａ）で巻き付け、面ファスナーの付いた布（３ａ）とカバーの入り口の面ファスナー（３ｂ）でヒモ（１）を挟み込んで２重に固定することで、外れにくくした、うちわとカバーを固定する方法。
【請求項３】
請求項１のうちわの柄に被せるカバーにおいて、首からかけられるストッパー（１０）付きの紐（９）や、ストラップや、ホルダー（８）や、リール付きの首からかけられる紐（９）を取り付けたことを特徴とするカバー。
【発明の詳細な説明】
【技術分野】
【０００１】本発明はうちわの柄による喉突きなどの怪我の防止、持ち運びに便利な為のうちわの柄のカバーに関するものである。
【背景技術】
【０００２】うちわの柄による怪我などを考えられた事がないのか、うちわの柄のカバーを見たことが無かった。
【発明の概要】
【発明が解決しようとする課題】うちわの柄による事故・怪我の防止。持ち運びや使用を便利にする。
幼児が、うちわに興味をもち、持ちたがったりするが、持ち手が細長く、木やプラスチックなど硬いものが多い為、うちわを持たせて目を離したすきに、転んだりして目や顔などを突いたり、持ち手を口に入れたりして口に入れたまま転んで喉を突いてしまったりする可能性も考えられ、怪我をする恐れがある。幼児が興味をもったうちわを持たせたいと思っても、事故や怪我が心配で持たせる事が出来ない。
【課題を解決するための手段】持ち手にカバーを取り付ける。
このカバーは、うちわの扇ぐ部分に穴が開いているタイプのうちわに取り付け可能である。
スポンジなどクッション性のあるものを挟んだ布や厚手の布などで作成し、持ち手を覆う部分（４）と、うちわを固定する為の面ファスナー（２）の付いた２本のヒモ（１）、その２本のヒモを上から押さえる面ファスナー付きの布（３ａ）、首から提げる紐（９）とホルダー（８）、それらをつけるヒモ（あるいは布）（６）、それらをカバーする部分（７）で構成される。
取付け方は、柄の先からカバーを被せ、カバーの入り口に付けた２つのヒモ（１）をうちわの穴の部分（１１）に通し、カバー入り口に付いている面ファスナー（３ｂ・２）で固定。更にそのヒモ（１）の上から、面ファスナーの付いた布（３ａ）で押さえ、外れにくいように２重に固定する。２重にしたことで、使用中の外れ防止と、幼児にも簡単に外せないようにする。また、紛失防止や持ち運びに便利なように、首から提げる紐（９）とホルダー（８）を付ける。首から提げる紐（９）は、長さを調節して使えるようにスライドするストッパー（１０）やリールなどを付ける。首から提げる紐（９）とホルダー（８）は幼児のイタズラ防止の為、カバー（７）内に収納出来る様にする。
また首から提げる紐（９）とホルダー（８）は取り外しが出来るようにして、それら（８・９・７）が不必要であったり、カバー（７）があっても紐など（８・９）のイタズラが心配な人には、外して使えるものとする。
【発明の効果】持ち手にカバーを取り付け、うちわの柄による事故を防ぎ、幼児にも幼児以外にも安心して安全にうちわを持たせられるようになる。カバーをつけることによって、握りやすく、扇ぎやすく、疲れにくくなり、汗を取る効果もある。カバー（４・７）にアニメなどのキャラクターをプリントしたり、和風の柄や、装飾をすることにより、幅広い年齢層がおしゃれに使用することが出来る。また、首から提げる紐（９）とホルダー（８）を付けることにより、紛失防止や持ち運びに便利になる。そして、その紐（９）やホルダー（８）のイタズラ防止も考え、その紐とホルダーのカバー（７）も付け、安全に使用可能にする。不要な人の為、更なるイタズラ防止の為、紐（９）とホルダー（８）は脱着出来るようにし、本体部分（４）だけを装着して、より安全にうちわを使用出来るようにする。
【図面の簡単な説明】
【図１】カバー本体を示した平面図（正面・側面・背面）である。
【図２】カバー本体とホルダーのカバーを示した平面図（正面・側面・背面）である。
【図３】カバーの取り付け方と、うちわに装着したのを示した図である。
【発明を実施するための形態】
スポンジなどクッション性のあるものを挟んだ布や厚手の布などで作成し、持ち手を覆う部分（４）と、うちわを固定する為の面ファスナー（２）の付いた２本のヒモ（１）、その２本のヒモを上から押さえる面ファスナー付きの布（３ａ）、首から提げる紐（９）とホルダー（８）、それらをつけるヒモ（あるいは布）（６）、それらをカバーする部分（７）で構成される。本体の布（４）に、面ファスナー（３ａ・３ｂ）やボタン（４）、ヒモ（６）など必要なパーツを付けたり、縫いつける。そして、袋状になるように両サイドを縫い合わせていく。紐（９）やホルダー（８）のカバー（７）も、ボタン（４）を付け、周りをかがり、袋状になるように縫い合わせる。カバー（３・４・７）にキャラクターのプリントや、装飾を取り付ける。出来上がった本体に、紐（９）とホルダー（８）を付け、紐とホルダーのカバー（７）も付ければ、完成。うちわの柄につけて使用。取付け方は、柄の先からカバー（４）を被せ、カバーの入り口に付けた２つのヒモ（１）をうちわの穴の部分（１１）に通し、カバー入り口に付いている面ファスナー（２・３ｂ）で固定。更にそのヒモ（１）の上から、面ファスナーの付いた布（３ａ）で押さえ、外れにくいように２重に固定する。
【符号の説明】１    固定用ヒモ
２    面ファスナー
３（３ａ・３ｂ）    面ファスナー
４    本体・持ち手部分
５    ボタン（本体と紐・ホルダーのカバーを取り付け用）
６    ヒモあるいは布（首下げ紐とホルダーを取り付け用）
７    カバー（首下げ紐とホルダーをしまう用）
８    ホルダー
９    首下げ用紐
１０  ストッパー（紐の長さ調節用）
１１  うちわの切れ込み部・穴の部分
【要約】
【課題】うちわの柄による事故・怪我の防止。持ち運びや使用を便利にする。
持ち手が細長く、木やプラスチックなど硬いものが多い為、幼児にうちわを持たせて目を離したすきに、怪我をする恐れがある。
うちわを持たせたいと思っても、事故や怪我が心配で持たせる事が出来ない。
【解決手段】持ち手にカバーを取り付ける。
持ち手にカバーを取り付け、うちわの柄による事故を防ぐ。
握りやすく、扇ぎやすく、疲れにくくなり、汗を取る効果もあり、首から提げる紐とホルダーを付け、紛失防止や持ち運びに便利にする。
紐とホルダーのカバーも付け、収納しておくことも出来たり、紐とホルダーは脱着も出来るようにし、より安全に使用可能にする。
【選択図】図３【図１】
0004778104.tif 000002
【図２】
0004778104.tif 000003
【図３】
0004778104.tif 000004